(57)【要約】【課題】  洗浄水タンクを便器本体に組み付ける施工時の作業が容易で、便器本体の上部に載設する洗浄水タンクの洗浄水流出口と便器本体の洗浄水流入口との間の確実なシール性能が得られる便器洗浄水タンク用パッキンを提供する。【解決手段】  底部から下方に突設した排水筒部を有する洗浄水タンクと前記排水筒部が挿入される洗浄水流入口を有する水洗便器との間をシールする便器洗浄水タンク用パッキンであって、前記排水筒部が水密状に嵌装される第１円筒部と、前記第１円筒部の端部若しくは端部近傍から外方に鍔状に一体に延設され前記洗浄水流入口の周縁の便器上面に当接する円板部と、前記円板部の外周縁部から上方に一体に延設した第２円筒部と、を備え、前記第２円筒部は上下方向に伸縮可能で、前記第２円筒部下端部は前記便器上面に当接し、前記第２円筒部上端部は前記洗浄水タンクの下面に当接することを特徴とする。【選択図】  図１
2005232838.tif 000002
【特許請求の範囲】
【請求項１】
底部から下方に突設した排水筒部を有する洗浄水タンクと前記排水筒部が挿入される洗浄水流入口を有する水洗便器との間をシールする便器洗浄水タンク用パッキンであって、
前記排水筒部が水密状に嵌装される第１円筒部と、
前記第１円筒部の端部若しくは端部近傍から外方に鍔状に一体に延設され前記洗浄水流入口の周縁の便器上面に当接する円板部と、
前記円板部の外周縁部から上方に一体に延設した第２円筒部と、を備え、
前記第２円筒部は上下方向に伸縮可能で、前記第２円筒部下端部は前記便器上面に当接し、前記第２円筒部上端部は前記洗浄水タンクの下面に当接することを特徴とする便器洗浄水タンク用パッキン。
【請求項２】
底部から下方に突設した排水筒部を有する洗浄水タンクと前記排水筒部が挿入される洗浄水流入口を有する水洗便器との間をシールする便器洗浄水タンク用パッキンであって
前記排水筒部が水密状に嵌装される第１円筒部と、
第１円筒部の基部若しくは基部近傍から前記第１円筒部を取り囲むように外側に折り返し状に一体形成した第３円筒部と、
前記第３円筒部の端部から外方に鍔状に一体に延設され前記洗浄水流入口の周縁の便器上面に当接する円板部と、
前記円板部の外周縁部から上方に一体に延設した第２円筒部と、を備え、
前記第２円筒部は上下方向に伸縮可能で、前記第２円筒部下端部は前記便器上面に当接し、前記第２円筒部上端部は前記洗浄水タンクの下面に当接することを特徴とする便器洗浄水タンク用パッキン。
【請求項３】
前記第２円筒部は蛇腹形状をなしていることを特徴とする請求項１または２記載の便器洗浄水タンク用パッキン。
【請求項４】
前記円板部の下端部に少なくとも、１ヶ以上の環状凸部を一体に設けたことを特徴とする請求項１乃至３いずれかに記載の便器洗浄水タンク用パッキン。
【請求項５】
前記第１円筒部の内周面に少なくとも１ヶ以上の環状凸部を設けたことを特徴とする請求項１乃至４いずれかに記載の便器洗浄水タンク用パッキン。
【発明の詳細な説明】
【技術分野】
【０００１】
本発明は、水洗式の便器本体に載置固定される洗浄水タンクの洗浄水流出口と便器本体の洗浄水流入口との間をシールする構造に係わり、便器本体と洗浄水タンクをセットする際に確実なシール性が得られるようにしたパッキンに関するものである。
【背景技術】
【０００２】
従来の便器洗浄水タンク用のパッキンについて、図８、９、１０、１１、１２を用いて説明する。洗浄水タンク２と便器本体１とをセットする際、洗浄水タンク２の排水筒部２ｂに断面形状が略ハの字状のパッキン１００を装着した後、洗浄水タンク２を持ち上げて便器本体１の密結ボルト用穴１ｂに洗浄水タンク２に固定された密結ボルト４を挿入し、洗浄水タンク２を便器本体１上に載置する。そうすると、図１１に示すようにパッキン１００の周縁部が変形して便器本体１に当接する。
【０００３】
しかしながら、その際密結ボルト用穴１ｂは施工者には見えないため、かなり斜めに洗浄水タンク２を倒す必要がある。斜めから洗浄水タンク２をセットする際、パッキン１００が便器本体１に設けている洗浄水タンク２を載せるリブ１ａに乗り上げたりして、パッキン１００が屈曲した状態でセットされてしまい、洗浄水タンク２の洗浄水流出口５から水漏れが発生し、洗浄水タンク２と便器本体１との間からトイレ室床面へ漏水する原因となる。
【０００４】
洗浄水タンク２にパッキン１００を取付けた状態で、便器本体１にセットするとき、パッキン１００のシール部９は便器上面１ｃを移動し、洗浄水タンク２と便器本体１に設けられている洗浄水タンク２を載せるリブ１ａに当たる位置で移動が完了する。
この際、便器上面１ｃをパッキン１００がスムーズに移動できるように、パッキン表面に水等のすべりをよくするものを塗布するようにガイドしている。
また、シール構造としては、図１１に示すようにパッキン１００と便器上面１ｃとはシール部９による１点のシールとなっている。
【０００５】
しかしながら、施工時には水等がない場合が多く、パッキン１００表面にすべりをよくすることができない状態で、施工されパッキン１００がすべらずに、屈曲した状態でセットし洗浄水タンク２の洗浄水流出口５を出た洗浄水が洗浄水流入口６を通って、洗浄水タンク２と便器本体１との間から洗浄水がトイレ室床面へ漏水するという問題があった。
【０００６】
また、前記パッキン１００の構造では、施工時シール部に傷等が入った場合、シール部９だけの１点シールであるため、シールが切れた箇所から洗浄水タンク２の洗浄水流出口５からの洗浄水が洗浄水流入口６を通って、洗浄水タンク２と便器本体１との間から洗浄水がトイレ室床面へ漏水するという問題があった。
【発明の開示】
【発明が解決しようとする課題】
【０００７】
本発明は、洗浄水タンクを便器本体に組み付ける施工時の作業が容易で、便器本体の上部に載設する洗浄水タンクの洗浄水流出口と便器本体の洗浄水流入口との間の確実なシール性能が得られる便器洗浄水タンク用パッキンを提供することを目的とする。
【課題を解決するための手段】
【０００８】
上記目的を達成するために、本発明の便器洗浄水タンク用パッキンは、底部から下方に突設した排水筒部を有する洗浄水タンクと前記排水筒部が挿入される洗浄水流入口を有する水洗便器との間をシールする便器洗浄水タンク用パッキンであって、前記排水筒部が水密状に嵌装される第１円筒部と、前記第１円筒部の端部若しくは端部近傍から外周方向に鍔状に一体に延設され前記洗浄水流入口の周縁の便器上面に当接する円板部と、前記円板部から上方に一体に延設した第２円筒部と、を備え、前記第２円筒部は上下方向に伸縮可能で、前記第２円筒部下端部は前記便器上面に当接し、前記第２円筒部上端部は前記洗浄タンクの下面に当接することを特徴とする。
【０００９】
このように構成された本発明においては、洗浄水タンクの排水筒部に便器洗浄水タンク用パッキンを装着した後、便器本体の洗浄水流入口に挿入するように洗浄水タンクを便器本体上に載置すると第２円筒部及び円板部が変形して、円板部の周縁部が便器本体の洗浄水流入口の周縁の便器上面に圧接し、円板部の下面部が洗浄水流入口の開口縁部に圧接する。
そして、円板部の周縁部と、洗浄水流入口の開口縁部との圧接部分の２ヶ所でシール部を形成する。
【００１０】
また、別の本発明の便器洗浄水タンク用パッキンは、底部から下方に突設した排水筒部を有する洗浄水タンクと前記排水筒部が挿入される洗浄水流入口を有する水洗便器との間をシールする便器洗浄水タンク用パッキンであって、前記排水筒部が水密状に嵌装される第１円筒部と、第１円筒部の基部若しくは基部近傍から前記第１円筒部を取り囲むように外側に折り返し状に一体形成した第３円筒部と、前記第３円筒部の端部から外周方向に鍔状に一体に延設され前記洗浄水流入口の周縁の便器上面に当接する円板部と、前記円板部の外周縁部から上方に一体に延設した第２円筒部と、を備え、前記第２円筒部は上下方向に伸縮可能で、前記第２円筒部下端部は前記便器上面に当接し、前記第２円筒部上端部は前記洗浄タンクの下面に当接することを特徴とする。
【００１１】
このように構成された本発明においては、洗浄水タンクの排水筒部に便器洗浄水タンク用パッキンを装着した後、便器本体の洗浄水流入口に挿入するように洗浄水タンクを便器本体上に載置すると第２円筒部及び円板部が変形して、円板部の周縁部が便器本体の洗浄水流入口の周縁の便器上面に圧接し、円板部の下面部が洗浄水流入口の開口縁部に圧接する。
そして、円板部の周縁部と、洗浄水流入口の開口縁部との圧接部分の２ヶ所でシール部を形成する。
また、第３円筒部が、便器洗浄水タンク下面より第３円筒部が押圧され、洗浄水流入口の周縁部押圧力が増大され、シール力が強くなる。
【００１２】
本発明において、好ましくは、前記第２円筒部は蛇腹形状をなす構成とする。
このように構成された本発明においては、第２円筒部が変形しやすく、円板部の便器本体との当接部分が第２円筒部の変形時に移動することがなく、施工時すべりを良くするための水塗布や、屈曲施工がなくなる。
【００１３】
本発明において、好ましくは、円板部の下端部に、少なくとも１ヶ以上の環状凸部を設けた構成とする。
このように構成された本発明においては、環状凸部と洗浄水流入口の開口縁部と圧接部分２箇所でシールするため全３点シールとすることが出来る。
【００１４】
本発明において、好ましくは、前記第１円筒部の内面に少なくとも１ヶ以上の環状凸部を設けた構成とする。
このように構成された本発明においては、便器洗浄水タンク用パッキンを排水筒部へ装着する際、第１円筒部の内径を大きく出来る為、入れやすくなり施工性の向上が図れる。
【発明の効果】
【００１５】
本発明によれば、洗浄水タンクと便器本体との隙間からの水漏れを確実に防止してシール性能向上と、施工時における作業性向上が図れる。
【発明を実施するための最良の形態】
【００１６】
以下、本発明に係る実施形態を図面に基づいて説明する。
【００１７】
（第１実施例）
図１は、本発明に係る第１実施例の便器洗浄水タンク用パッキンの装着状態を示す部分拡大縦断面図、図２は図１に示す便器洗浄水タンク用パッキンの縦断面図である。
便器洗浄水タンク用パッキン３は、洗浄水タンク２の排水筒部２ｂが挿入される第１円筒部３ａ、第１円筒部３ａの端部（前記排水筒部２ｂの先端側）から外方に鍔状に延設した円板部３ｃ、円板部３ｃの周縁部から立設した第２円筒部３ｂから構成され、第１円筒部３ａ、円板部３ｃ、第２円筒部３ｂが同心円状で、弾性材料［ＥＰＤＭ（エチレン−プロピレン−ジエンゴム）］で一体成形している。そして、第２円筒部３ｂは蛇腹形状をなし、先端部が洗浄水タンク底部２ａに当接する洗浄水タンク当接部３ｄとしている。
【００１８】
第１円筒部３ａは、洗浄水タンク底部２ａから下方に突出した排水筒部２ｂの外径より第１円筒部３ａ内径を小さくして挿着しており、洗浄水タンク２からの洗浄水流出口５と第１円筒部３ａとの間からの漏水を防いでいる。
【００１９】
円板部３ｃは、洗浄水タンク２を便器本体１に載置した状態でその内側が便器本体１の洗浄水流入口６の開口縁部と当接して洗浄水流入口６からの漏水を防ぐ第１シール部７と、外周縁部の便器本体１の便器上面１ｃと当接して洗浄水流入口６からの漏水を防いでいる第２シール部８とを形成している。
【００２０】
第２円筒部３ｂは、蛇腹形状をなしており、便器本体１と洗浄水タンク２との間の寸法公差を吸収させ第２シール部８である円板部３ｃの外周縁部を便器上面１ｃを移動することがないよう伸縮自在に変形して漏水・屈曲施工を防いでいる。
洗浄水タンク当接部３ｄは、洗浄水タンク底部２ａから第２円筒部３ｂに均一に荷重を受けるようにしている。
【００２１】
上記第１実施例においては、洗浄水流出口５から出た洗浄水が洗浄水流入口６を通っての漏水を、第１シール部７と第２シール部８の２点でシールされており、確実なシール性能を発揮できる。
また、第１シール部７若しくは第２シール部８のどちらか一方シール性能が発揮できない状況になった場合でも、いずれか一方のシール部によってシール性能が確保されている。
【００２２】
（第２実施例）
次に、別の実施例について説明する。図３は、本発明に係る第２実施例の便器洗浄水タンク用パッキンの装着状態を示す部分拡大縦断面図、図４は図３に示す便器洗浄水タンク用パッキンの縦断面図である。
この実施例は、第１実施例における第２円筒部３ｄの下端に、第２円筒部３ｄの形状に倣った環状凸部３ｅを設けた例で、その他の構成は第１実施例と同様であるので説明は省略する。環状凸部３ｅは、第２円筒部３ｄと同心円状に一体成形している。
この実施例においては、第１実施例と同様に円板部３ｃは、その内側が便器本体１の洗浄水流入口６の開口縁部と当接する洗浄水流入口６からの漏水を防ぐ第１シール部７と、環状凸部３ｅと便器上面１ｃとが当接するシール部８を形成している。
環状凸部３ｅと便器上面１ｃとが当接するシール部８を形成することにより、環状凸部３ｅと便器上面１ｃとが均一に接触する。
【００２３】
（第３実施例）
さらに、別の実施例について説明する。図５は、本発明に係る第３実施例の便器洗浄水タンク用パッキンの装着状態を示す部分拡大縦断面図、図６は図５に示す便器洗浄水タンク用パッキンの縦断面図である。
便器洗浄水タンク用パッキン３は、洗浄水タンク２の排水筒部２ｂが挿入される第１円筒部３ａ、第１円筒部３ａの基部３ｇ側から外方に折り返し状に第１円筒部３ａと同方向に突出した第３円筒部３ｆ、第３円筒部３ｆの突出端側から連続して延設し外方に鍔状に延設した円板部３ｃ、円板部３ｃの周縁部から立設した第２円筒部３ｂから構成され、第１円筒部３ａ、円板部３ｃ、第２円筒部３ｂ、第３円筒部３ｇが同心円状で、弾性材料［ＥＰＤＭ（エチレン−プロピレン−ジエンゴム）］で一体成形している。そして、第２円筒部３ｂは蛇腹形状をなし、先端部が洗浄水タンク底部２ａに当接する洗浄水タンク当接部３ｄとしている。
【００２４】
第１円筒部３ａは、洗浄水タンク底部２ａから下方に突出した排水筒部２ｂの外径より第１円筒部３ａ内径を小さくして挿着しており、洗浄水タンク２からの洗浄水流出口５と第１円筒部３ａとの間からの漏水を防いでいる。
【００２５】
第３円筒部３ｇは、所定の間隙をもって第１円筒部３ａを取り囲むように設けている。
【００２６】
円板部３ｃ、第２円筒部３ｂについては、第１実施例と同様であるので、説明を省略する。また、第２円筒部３ｄの下端には第２実施例と同様に環状凸部３ｅを設けている。
【００２７】
上記第３実施例においては、第３円筒部３ｆを設けたことにより、第３円筒部が便器洗浄水タンク下面より押圧され、洗浄水流入口の周縁部押圧力が増大され、第１シール部のシール力が大きくなる。
【００２８】
第２実施例及び第３実施例では環状凸部３ｄを１箇所設けたが、円板部の下端部に、同様の環状凸部を少なくとも１ヶ以上設けてもよい。
また、第３実施例においては第２円筒部３ｄの下端に環状凸部３ｄを設けたが、第１実施例のように環状凸部３ｄを設けない構成とすることもできる。
【００２９】
また、環状凸部３ｄの形状は第２円筒部３ｄに倣った円環状に限定されず、三角形状、楕円形状、長円形状等のシール部形状とすることもできる。
【００３０】
また、図７に示すように、第１実施例の便器洗浄水タンク用パッキン３において、第１円筒部３ａの内周面に環状凸部３ｈを一体に設ける構成とすることもできる。第２、３実施例の便器洗浄水タンク用パッキンにおいても同様にその第１円筒部の内周面に上記環状突部３ｈを設ける構成とすることができる。
【００３１】
また、第１、２、３の実施例において、第２円筒部３ｂは中途が屈曲した蛇腹形状としているが、屈曲しないストレート形状としてもよい。  
【図面の簡単な説明】
【００３２】
【図１】第１実施例の便器洗浄水タンク用パッキンの装着状態を示す部分拡大縦断面図
【図２】図１に示す便器洗浄水タンク用パッキンの縦断面図
【図３】第２実施例の便器洗浄水タンク用パッキンの装着状態を示す部分拡大縦断面図
【図４】図３に示す便器洗浄水タンク用パッキンの縦断面図
【図５】第３実施例の便器洗浄水タンク用パッキンの装着状態を示す部分拡大縦断面図
【図６】図５に示す便器洗浄水タンク用パッキンの縦断面図
【図７】第１実施例の便器洗浄水タンク用パッキンの第１円筒部の内周面に環状凸部を設けた状態を示す縦断面図
【図８】便器本体と洗浄水タンクをセットした斜視図
【図９】便器本体の斜視図
【図１０】洗浄水タンクに密結ボルトをセットした正面図
【図１１】従来の便器洗浄水タンク用パッキンの装着状態を示す部分拡大縦断面図
【図１２】図１１に示す便器洗浄水タンク用パッキンの縦断面図
【符号の説明】
【００３３】
１…便器本体
１ａ…リブ
１ｂ…密結ボルト用穴
１ｃ…便器上面
２…洗浄水タンク
２ａ…洗浄水タンク底部
２ｂ…排水筒部
３…便器洗浄水タンク用パッキン
３ａ…第１円筒部
３ｂ…第２円筒部
３ｃ…円板部
３ｄ…洗浄水タンク当接部
３ｅ…環状凸部
３ｆ…第３円筒部
３ｇ…基端部
３ｈ…環状凸部
４…密結ボルト
５…洗浄水流出口
６…洗浄水流入口
７…第１シール部
８…第２シール部
９…シール部
１００…従来のパッキン
【図２】
2005232838.tif 000003
【図４】
2005232838.tif 000004
【図６】
2005232838.tif 000005
【図７】
2005232838.tif 000006
【図８】
2005232838.tif 000007
【図９】
2005232838.tif 000008
【図１０】
2005232838.tif 000009
【図１２】
2005232838.tif 000010
【図１】
2005232838.tif 000011
【図３】
2005232838.tif 000012
【図５】
2005232838.tif 000013
【図１１】
2005232838.tif 000014